(57)【特許請求の範囲】
【請求項１】
ウェアラブルデバイスを動作させるためのシステムであって、
少なくとも接続状態及び切断状態で動作するウェアラブルデバイスと、
ユーザの体の部分に前記ウェアラブルデバイスを取付ける取付部材であって、
前記取付部材は、
前記取付部材が、接続されることを判定するように動作する素子と、
前記ユーザの前記体の部分を検出するセンサと、
を備え、前記ウェアラブルデバイスは、前記取付部材が接続されることを前記素子が判定することに基づいて、前記切断状態から前記接続状態に切換わる、システム。
【請求項２】
前記センサが、光電脈波センサ、心電センサ、又は電気皮膚伝導センサのうちの少なくとも１つを含む、請求項１に記載のシステム。
【請求項３】
前記取付部材が、切断された構成と接続された構成との間で遷移し、前記取付部材が、前記ウェアラブルデバイスを前記ユーザの前記体の部分に前記接続された構成で取付ける、請求項１に記載のシステム。
【請求項４】
前記ウェアラブルデバイスが、前記取付部材が前記切断された構成から前記接続された構成に遷移する場合を検出する、請求項３に記載のシステム。
【請求項５】
前記ウェアラブルデバイスが、前記切断状態で動作する間に、前記取付部材が前記切断された構成から前記接続された構成に遷移したことを検出すると、前記センサが前記ユーザの前記体の部分を検出するかどうかを判定する、請求項４に記載のシステム。
【請求項６】
前記ウェアラブルデバイスが、前記取付部材が前記接続された構成から前記切断された構成に遷移したことを検出すると、前記接続状態から前記切断状態に切換わる、請求項４に記載のシステム。
【請求項７】
前記ウェアラブルデバイスが、前記センサが前記ユーザの前記体の部分を検出しないと判定すると、前記接続状態から前記切断状態に切換わる、請求項４に記載のシステム。
【請求項８】
前記ウェアラブルデバイスが、前記接続状態で動作する間に、前記取付部材が前記接続された構成から前記切断された構成に遷移したことを検出すると、前記センサが前記ユーザの前記体の部分を検出するかどうかを判定する、請求項７に記載のシステム。
【請求項９】
前記ウェアラブルデバイスが、第１の接点と第２の接点との間のコンダクタンスを測定することにより、前記取付部材が前記切断された構成と前記接続された構成との間で遷移する場合を検出する、請求項３に記載のシステム。
【請求項１０】
前記第１及び前記第２の接点が、前記取付部材が前記接続された構成にある場合、導電素子により接続され、前記取付部材が前記切断された構成にある場合、前記導電素子により接続されない、請求項９に記載のシステム。
【請求項１１】
前記取付部材が前記接続された構成にある場合、前記第１の接点を前記第２の接点に接続し、前記取付部材が前記切断された構成にある場合、前記第１の接点を前記第２の接点から切断する接続機構を更に備える、請求項９に記載のシステム。
【請求項１２】
前記取付部材が、前記接続された構成で、第１の磁気素子及び第２の磁気素子を用いて、第２の部分に結合される、第１の部分を含み、
前記第１の部分が、前記切断された構成で、前記第２の部分に結合されず、
前記ウェアラブルデバイスが、ホール効果センサを用いて、少なくとも前記第１の磁気素子又は前記第２の磁気素子の磁場を測定することにより、前記取付部材が前記切断された構成と前記接続された構成との間で遷移する場合を検出する、請求項３に記載のシステム。
【請求項１３】
前記取付部材が、少なくとも第１の容量性素子及び第２の容量性素子を含み、
前記取付部材が、前記第１の容量性素子と前記第２の容量性素子との間の距離が増大して前記第１の容量性素子と前記第２の容量性素子との間のキャパシタンスが減少するように、力が加わる場合に伸び、前記第１の容量性素子と前記第２の容量性素子との間の前記距離が減少して前記第１の容量性素子と前記第２の容量性素子との間の前記キャパシタンスが増大するように、前記力がもはや加わらない場合に縮み、
前記キャパシタンスが減少し、その後増大する場合に、前記ウェアラブルデバイスが前記取付素子が前記切断された構成にあると判定した後に、前記ウェアラブルデバイスが、前記取付素子が前記切断された構成から前記接続された構成に遷移したと判定する、請求項３に記載のシステム。
【請求項１４】
前記キャパシタンスが減少し、その後増大すると、前記ウェアラブルデバイスが前記取付素子が前記接続された構成にあると判定した後、前記ウェアラブルデバイスが、前記取付素子が前記接続された構成から前記切断された構成に遷移したと判定する、請求項１３に記載のシステム。
【請求項１５】
前記ウェアラブルデバイスが、近接センサの出力を評価することにより、前記取付部材が前記切断された構成と前記接続された構成との間で遷移する場合を検出する、請求項３に記載のシステム。
【請求項１６】
前記ウェアラブルデバイスが、前記接続状態で動作する間、前記ユーザを認証する、請求項１に記載のシステム。
【請求項１７】
前記ウェアラブルデバイスが、前記接続状態から前記切断状態に切換わる場合、前記ユーザはもはや認証されていないと判定する、請求項１６に記載のシステム。
【請求項１８】
前記ウェアラブルデバイスが、前記ユーザのバイオメトリック、ユーザ識別子、パスワード、又は個人識別番号を受信することにより、前記少なくとも１人のユーザを認証する、請求項１６に記載のシステム。
【請求項１９】
ウェアラブルデバイスであって、
少なくとも接続状態及び切断状態で動作する、処理ユニットと、
ユーザの体の部分に前記処理ユニットを取付ける取付部材と、
前記取付部材が、前記ユーザの前記体の部分の周囲において接続された構成であることを判定するように動作する素子と、
前記ユーザの前記体の部分を検出するセンサと、
を備え、前記処理ユニットは、前記取付部材が、前記ユーザの前記体の部分の周囲において前記接続された構成であることを前記素子が判定することに基づいて、前記切断状態から前記接続状態に切換わる、ウェアラブルデバイス。
【請求項２０】
ウェアラブルデバイスが着用されているかどうかに依存する、ウェアラブルデバイスを動作させるための方法であって、
ウェアラブルデバイスが、切断状態で動作している場合、
ユーザの体の部分に前記ウェアラブルデバイスを取付ける取付部材が、切断された構成から接続された構成に遷移したと検出することと、
前記取付部材が、前記切断された構成から前記接続された構成に遷移したと検出すると、センサを用いて、前記ユーザの前記体の部分を検出することと、により、接続状態に切換える判定をすること、
を含む、方法。
【請求項２１】
前記ウェアラブルデバイスが、前記接続状態で動作している場合、前記取付部材が前記接続された構成から前記切断された構成に遷移したことを検出することと、
前記取付部材が前記接続された構成から前記切断された構成に遷移したことを検出する前記動作に応答して、前記切断状態に切換える判定をすることと、
を更に含む、請求項２０に記載の方法。
【発明の詳細な説明】
【技術分野】
【０００１】
本開示は、概してウェアラブルデバイス、より具体的には、着用されない場合に対して着用された場合のウェアラブルデバイスの動作の変更に関する。
【背景技術】
【０００２】
心拍数又は他の健康モニタなどのウェアラブルデバイスは、接続状態及び切断状態で動作可能であり得る。接続状態は、ウェアラブルデバイスがユーザにより着用された場合の動作のためであることがある。同様に、切断状態は、ウェアラブルデバイスがユーザにより着用されない場合の動作のためであることがある。一例として、切断状態は、データのダウンロード又は表示、ユーザの入力などを許可することがあるが、着用中に提供されるアクティブ監視機能は、提供されないことがある。
【０００３】
接続状態では、光電脈波センサ又は心電センサに基づく心拍数モニタなどのウェアラブルデバイスは、ユーザの心拍数及び／又はユーザがウェアラブルデバイスを着用する必要がある同様な動作を、検出及び監視するよう動作可能であることがある。切断状態では、そのようなウェアラブルデバイスは、ユーザにより設定され得る、及び／又はユーザがウェアラブルデバイスを着用する必要がない他の動作を実行することができる。
【０００４】
そのようなウェアラブルデバイスが、接続状態又は切断状態のいずれかで適切に動作するために、ウェアラブルデバイスは、どちらの状態で動作すべきか認識している必要があることがある。これには、ウェアラブルデバイスが、ユーザが現在ウェアラブルデバイスを着用しているかどうか認識している又は感知する必要があり得る。場合により、ユーザが現在ウェアラブルデバイスを着用しているかどうかをウェアラブルデバイスに指示するために、ユーザは、入力（タッチスクリーン、１つ以上のボタン、及び／又は１つ以上の他の入出力機構などにより）をしてもよい。しかし、ユーザがウェアラブルデバイスの状態を変更するために入力をする必要があることは、不便及び／又は煩わしいことがある。
【発明の概要】
【０００５】
本開示は、ウェアラブルデバイスが着用されているかどうかに依存するウェアラブルデバイスの動作のための、システム、装置、及び方法を開示する。ユーザの体の一部分に取付部材により取付けるウェアラブルデバイスは、少なくとも接続状態及び切断状態で動作できる。ウェアラブルデバイス及び／又は取付部材内に配置された１つ以上のセンサは、デバイスが対象に取付けられた、又は対象のごく近傍にある場合を検出することができる。ウェアラブルデバイス及び／又は取付部材内に配置された１つ以上のセンサは、取付けられた対象が、存在する場合、ユーザの体の一部分であると検出することができる。そのような、組合わされた／二重の検出は、場合により他のデータと共に、ウェアラブルデバイスを接続状態と切断状態との間で切換えるために用いることができる。
【０００６】
加えて、取付部材は、取付部材がウェアラブルデバイスをユーザの体の一部分に取付けている、接続された構成、及び、取付部材がウェアラブルデバイスをユーザの体の一部分に取付けていないことがある、切断された構成を、有することができる。いくつかの実施形態では、取付部材の構成を検出することができ、センサは、ウェアラブルデバイスの状態を切断から接続に切換えるために、取付部材が切断から接続された構成に遷移する場合、ユーザの体の一部分が検出されるかどうかを判定することができる。同様に、ウェアラブルデバイスが接続状態で動作しており、取付部材が接続された構成から切断された構成に遷移する場合、ウェアラブルデバイスは、切断状態に切換わることができる。
【０００７】
様々な場合に、取付部材が接続された構成と切断された構成との間で遷移したという判定は、接続された構成では導電的に接続され、切断された構成では導電的に接続されていない、ウェアラブルデバイス及び／又は取付部材内に配置された、２つ以上の接点間の測定されたコンダクタンスに基づいて、実行することができる。他の場合では、取付部材又はウェアラブルデバイスは、デバイス及び取付部材が接続状態と切断状態との間で遷移した場合を判定するために利用できる、近接センサを含むことがある。更に他の場合では、取付部材は、２つ以上の磁気素子を利用して互いに結合可能な複数の部分を含むことがあり、ホール効果センサが、磁気素子が互いに誘引していて複数の部分を接続された構成に結合している場合を判定するのに利用されることがある。更に他の場合では、取付部材は、加わった力に応答して伸びることができる単一の部分、及び、取付部材が伸ばされていない場合、互いに相当近傍に、取付部材が伸ばされた場合、互いにより遠くにあって、容量性素子間のキャパシタンスが変化する、複数の容量性素子を含むことがある。そのようにして、取付部材は、伸ばされていない場合、接続された構成又は切断された構成にあることがあり、取付部材が現在あるその構成は、取付部材がその前に伸ばされる前に取付部材があった構成とは逆であることがある。
【０００８】
様々な実装形態では、ウェアラブルデバイスは、接続状態で動作する間、ユーザを認証することができる。そのような場合では、ウェアラブルデバイスは、切断状態に切換わる場合、ユーザがもう認証されていないと判定することができる。
【０００９】
１つ以上の実施形態では、ウェアラブルデバイスが着用されているかどうかに依存するウェアラブルデバイスを動作させるためのシステムは、少なくとも接続状態及び切断状態で動作するウェアラブルデバイスと、少なくとも１人のユーザの少なくとも１つの体の部分にウェアラブルデバイスを取付ける、少なくとも１つの取付部材と、少なくとも１人のユーザの少なくとも１つの体の部分を検出する、少なくとも１つのセンサと、を含むことがある。ウェアラブルデバイスは、少なくとも１人のユーザの少なくとも１つの体の部分の検出に少なくとも基づいて、切断状態から接続状態に切換わることができる。
【００１０】
いくつかの実施形態では、ウェアラブルデバイスは、少なくとも接続状態及び切断状態で動作する少なくとも１つの処理ユニットと、少なくとも１人のユーザの少なくとも１つの体の部分に少なくとも１つの処理ユニットを取付ける、少なくとも１つの取付部材と、少なくとも１人のユーザの少なくとも１つの体の部分を検出する、少なくとも１つのセンサと、を含むことがある。少なくとも１つの処理ユニットは、少なくとも１人のユーザの少なくとも１つの体の部分の検出に少なくとも基づいて、切断状態から接続状態に切換わることができる。
【００１１】
様々な実装形態では、ウェアラブルデバイスが着用されているかどうかに依存するウェアラブルデバイスを動作させるための方法は、ウェアラブルデバイスが切断状態で動作している場合、少なくとも１人のユーザの少なくとも１つの体の部分にウェアラブルデバイスを取付ける少なくとも１つの取付部材が、切断された構成から接続された構成に遷移したことを検出すること、及び、少なくとも１つの取付部材が切断された構成から接続された構成に遷移したことを検出すると、少なくとも１つのセンサを利用して少なくとも１人のユーザの少なくとも１つの体の部分を検出することにより、接続状態に切換えることを判定することを含むことがある。
【００１２】
上述の概略的な説明、及び以下の詳細な説明の両方は例示及び解説を目的としており、本開示を必ずしも限定するものでないことが理解されるであろう。本明細書に含まれており、その一部を成す添付図面は、本開示の主題を示す。あわせて、説明及び図面は、本開示の原理の説明に供する。
【図面の簡単な説明】
【００１３】
【図１】ウェアラブルデバイスが着用されているかどうかに依存するウェアラブルデバイスの動作のためのシステムの等角投影図である。
【図２Ａ】ウェアラブルデバイスが着用されているかどうかに依存して動作するウェアラブルデバイスの第１の実施形態のコンポーネントの関係を示すブロック図である。
【図２Ｂ】取付部材が接続された構成にある、図２Ａのウェアラブルデバイスの第１の実施形態を示す。
【図３Ａ】ウェアラブルデバイスが着用されているかどうかに依存して動作するウェアラブルデバイスの第２の実施形態のコンポーネントの関係を示すブロック図である。
【図３Ｂ】取付部材が接続された構成にある、図３Ａのウェアラブルデバイスの第２の実施形態を示す。
【図４Ａ】ウェアラブルデバイスが着用されているかどうかに依存して動作するウェアラブルデバイスの第３の実施形態のコンポーネントの関係を示すブロック図である。
【図４Ｂ】取付部材が伸ばされた位置にある、図４Ａのウェアラブルデバイスの第３の実施形態を示す。
【図５Ａ】ウェアラブルデバイスが着用されているかどうかに依存して動作するウェアラブルデバイスの第４の実施形態のコンポーネントの関係を示すブロック図である。
【図５Ｂ】取付部材が接続された構成にある、図５Ａのウェアラブルデバイスの第４の実施形態を示す。
【図６】ウェアラブルデバイスが着用されているかどうかに依存するウェアラブルデバイスの動作のための方法の例を示すフローチャートである。この方法は、図１のシステム及び／又は図２Ａから図５Ｂのウェアラブルデバイスにより実行することができる。
【発明を実施するための形態】
【００１４】
以下の説明は、本開示の様々な要素を具現化するサンプルシステム、方法、及びコンピュータプログラム製品を含む。しかし、説明された開示は、本明細書に説明する形態に加え、様々な形態にて実施されてよいことが理解されるべきであろう。
【００１５】
本開示は、ウェアラブルデバイスが着用されているかどうかに依存するウェアラブルデバイスの動作のための、システム、装置、及び方法を開示する。取付部材（ストラップ、バンド、又は他の取付部材など）により、ユーザの体の一部分（二頭筋、腕、手首、首、下肢、胴など）に取付けられる、ウェアラブルデバイス（心拍数モニタ、血圧モニタ、健康モニタ、又は他のウェアラブルデバイスなど）は、少なくとも接続状態及び切断状態で動作することができる。ウェアラブルデバイス及び／又は取付部材内に配置された、１つ以上のセンサ（１つ以上の光電脈波センサ、センサーエレクトロカーディオグラフィック（Sensorselectrocardiographic）センサ、電気皮膚伝導センサ、など）は、ユーザの体の一部分が存在する場合、検出することができる、又はバンド若しくは他の取付部材が閉じている若しくはそうでなければ接続状態にあることを検出することができる。そのような検出は、場合により他のデータと共に、ウェアラブルデバイスを接続状態と切断状態との間で切換えるために用いることができる。このようにして、ウェアラブルデバイスは、ユーザにより着用された場合、接続状態で、ユーザにより着用されない場合、切断状態で、動作することができる。
【００１６】
加えて、取付部材は、取付部材がウェアラブルデバイスをユーザの体の一部分に取付けている接続された構成、及び、取付部材がウェアラブルデバイスをユーザの体の一部分に取付けていないことがある切断された構成を、有することができる。いくつかの実施形態では、取付部材の構成を検出することができ、及び／又は、センサは、取付部材が切断から接続された構成に遷移する場合、ユーザの体の一部分が検出されるかどうかを判定することができる。同様に、ウェアラブルデバイスが接続状態で動作しており、取付部材が接続された構成から切断された構成に遷移する場合、ウェアラブルデバイスは、切断状態に切換わることができる。このようにして、ウェアラブルデバイスの動作状態は、センサ（単数又は複数）を用いたユーザの体の一部分の検出をより低い頻度で済ませながら、ウェアラブルデバイスがユーザにより着用されているかどうかに依存することができる。
【００１７】
そのような実施形態のいくつかでは、ウェアラブルデバイスが接続状態で動作しており、取付部材が接続された構成から切断された構成に遷移する場合、ウェアラブルデバイスは、直ちに切断状態に切換わることができない。代わりに、そのような遷移をすると、センサがユーザの体の一部分を検出するかどうかを判定することができる。次に、ユーザの体の一部分が検出されない場合、ウェアラブルデバイスは、切断状態に切換わることができる。このようにして、ユーザは、ユーザがウェアラブルデバイスをユーザの体の一部分から取外さない場合、ウェアラブルデバイスの動作状態を切換えずに、取付部材を切断された構成に遷移させることができ得る。
【００１８】
様々な場合に、取付部材が接続された構成と切断された構成との間で遷移したという判定は、ウェアラブルデバイス及び／又は取付部材内に配置された、２つ以上の接点間の測定されたコンダクタンス又は電流に基づいて、実行できる。例えば、取付部材は、互いに結合可能な複数の部分を含んでもよい。これらの部分が結合されると、これらの部分内、部分上に含まれる、部分を形成する、又は部分を結合するために動作可能な接続機構（導電ワイヤ、若しくはトレース、導電コーティング、及び／又は他の導電性コンポーネントなど）としての、導電素子（導電金属素子、導電炭素素子、及び／又は他の種類の導電素子など）は、接点間の容量又はコンダクタンスが高くあり得るように、互いに相当近傍に配置され得る。しかし、これらの部分が結合されない場合、導電素子は、接点間のコンダクタンスが低いように、接点を電気的に接続し得ない。そのようなコンダクタンスは、ウェアラブルデバイスにより測定することができ、並びに／又は、有線及び／若しくは無線でウェアラブルデバイスに伝達することができる。
【００１９】
場合により、取付部材又はウェアラブルデバイスは、デバイス及び取付部材が接続された構成と切断された構成との間で遷移した場合を判定するために利用できる、近接センサを含んでもよい。
【００２０】
場合により、取付部材は、２つ以上の磁気素子を利用して互いに結合可能な複数の部分を含んでもよい。そのような場合、ホール効果センサ又は同様なセンサが、磁気素子が互いに誘引していて、それによりこれらの部分を接続された構成に結合する場合、及び／又は、誘引していないで、それによりこれらの部分を切断された構成で結合しない場合、を判定するために利用することができる。取付部材が切断又は接続された構成にあるかの判定は、ホール効果センサの測定に基づくことができる。
【００２１】
様々な場合に、取付部材は、ユーザの体の一部分上に配置され得る、及び／又はユーザの体の一部分から取外され得るように、加えられた力に応答して伸ばされ、力がもう加わらない場合、元の形状に戻ることができる、単一の部分を含んでもよい。取付部材は、取付部材が伸ばされていない場合、互いに相当近傍に、取付部材が伸ばされた場合、互いにより遠くにあって、容量性素子間のキャパシタンスが変化する、複数の容量性素子を含んでもよい。そのように、取付部材は、伸ばされていない場合、接続された構成又は切断された構成にあることがあり、取付部材が現在あるその構成は、取付部材がその前に伸ばされて元の形状に戻れる前に取付部材があった構成とは逆であり得る。ゆえに、取付部材の構成は、伸びて取付部材の元の形状に戻るのに対応して、キャパシタンスが減少し、その後増大する度に、遷移してもよい。
【００２２】
あるいは、場合により、取付部材の構成は、キャパシタンスが減少しその後増大した後、センサがユーザの体の一部分を検出するかどうかに基づいて判定してもよい。例えば、キャパシタンスが減少しその後増大し、センサがその後ユーザの体の一部分を検出しない場合、取付部材は、切断された構成にあると判定することができる。同様に、キャパシタンスが減少しその後増大し、センサがその後ユーザの体の一部分を検出する場合、取付部材は、接続された構成にあると判定することができる。
【００２３】
様々な実装形態では、ウェアラブルデバイスは、接続状態で動作する間、ユーザを認証することができる。そのような認証は、１つ以上のバイオメトリック（タッチセンサにより受信される１つ以上の指紋、光電脈波センサにより受信される光電脈波情報、ＥＣＧ電極により受信される心電（ＥＣＧ）情報、及び／若しくは他のそのようなバイオメトリック）、ユーザ識別子、パスワード、個人識別番号、又は１つ以上の入出力コンポーネントにより受信される他のそのような認証機構を受信することを含んでもよい。ウェアラブルデバイスが接続状態で動作する間にユーザを認証した、そのような場合には、ウェアラブルデバイスは、切断状態に切換わる場合、ユーザはもはや認証されていないと判定することができる。このようにして、ウェアラブルデバイスがもはやユーザの直接制御を受けない、すなわち、もはやユーザにより着用されていない場合、ユーザ認証は継続しないことがある。
【００２４】
図１は、ウェアラブルデバイスが着用されているかどうかに依存するウェアラブルデバイス１０３の動作のためのシステム１００の等角投影図である。図１に示すように、ウェアラブルデバイスは、取付部材のストラップ１０２をユーザの二頭筋１０１に接続することにより、ユーザにより着用可能な、タッチスクリーンディスプレイ１０４を含む心拍数モニタである。ウェアラブルデバイスは、ユーザの二頭筋に取付けられた場合、接続状態で、ユーザの二頭筋から取外された場合、切断状態で、動作することができる。
【００２５】
しかし、これは一例であり、限定することを意図しないと理解される。様々な実装形態では、ウェアラブルデバイス１０３は、１つ以上の取付部材１０２により、ユーザの１つ以上の体の一部分に取付けられる、ウェアラブルデバイスの任意の種類であってよい。
【００２６】
ウェアラブルデバイス１０３は、図示されない１つ以上のコンポーネントを含んでもよい。そのようなコンポーネントは、１つ以上の処理ユニット、１つ以上のセンサ、１つ以上の入出力コンポーネント、及び１つ以上の非一時的記憶媒体（磁気記憶媒体、光学記憶媒体、光磁気記憶媒体、読み出し専用メモリ、ランダムアクセスメモリ、消去可能プログラマブルメモリ、フラッシュメモリなどの形態を取り得るが、それに限定されない）を含んでもよい。処理ユニットは、１つ以上のウェアラブルデバイス機能を実行するように、非一時的記憶媒体内に記憶された命令を実行することができる。そのような機能は、接続状態又は切断状態で動作すること、状態間を切換えること、センサがユーザの体の一部分を検出する場合を判定すること、取付部材が接続された構成又は切断された構成にあるか判定すること、ユーザの入力を受取ること、ユーザを認証すること、及び／又は他のそのような動作を含んでもよい。
【００２７】
ウェアラブルデバイスは、任意の様々なデバイスの１つであってよい。例えば、ウェアラブルデバイスは、健康モニタ、運動又は他の活動モニタ、時間を知らせることが可能なデバイス、着用者又はユーザのバイオメトリックパラメータを測定することが可能なデバイスなどであってもよい。デバイスは、ユーザの体の一部分を取囲んでもよく、又はユーザの体の一部分を取囲むストラップ若しくはバンドを有してもよい。デバイスは、例えば眼鏡として、ユーザにより直接着用されてもよい。デバイスは、着用された場合、ユーザの体の一部分に隣接、又は接触していてもよい。
【００２８】
図２Ａは、ウェアラブルデバイスが着用されているかどうかに依存して動作するウェアラブルデバイス２０３の第１の実施形態のコンポーネントの関係を示すブロック図である。この実施形態では、ウェアラブルデバイスは、処理ユニット２１０、非一時的記憶媒体２１１、入出力コンポーネント２２０（タッチセンサ、タッチスクリーン、１つ以上のボタン、キーボード、生体センサ、ディスプレイ、スピーカ、マイクロフォンなどの入出力コンポーネントの任意の種類の１つ以上であってよい）、ユーザの体の一部分を検出するための１つ以上のセンサ２１２（１つ以上の光電脈波センサ、近接センサ、又は電気接点など）、並びに第１及び第２の接点２１３及び２１４を含む。またこの実施形態では、ウェアラブルデバイスをユーザの体の一部分に取付けるための取付部材は、第１の部分２０２Ａ及び第２の部分２０２Ｂ、導電素子２１５及び２１６、並びに、導電バックルプロング２１７、バックルフレーム２１８、及び導電孔２１９を含む接続機構を含んでもよい。
【００２９】
図２Ａに示すように、取付部材の第１及び第２の部分２０２Ａ及び２０２Ｂは、切断された構成にあることがある。図２Ｂは、取付部材が接続された構成にある、図２Ａのウェアラブルデバイスの第１の実施形態を示す。図２Ａ及び図２Ｂに示すように、第１の部分２１５は、第２の部分をバックルフレーム２１８の中に挿入すること、及び導電バックルプロング２１７を導電孔２１９の中に挿入することにより、第２の部分２１６に結合することができる。これにより、図２Ｂに示す接続された構成にすることができる。同様に、第１の部分は、導電バックルプロングを導電孔から取外すこと、及び第２の部分をバックルフレームから取外すことにより、第２の部分に結合されていなくてもよい。これにより、図２Ａに示す切断された構成にすることができる。
【００３０】
導電素子２１５は、第１の接点２１３及びバックルプロング２１７に導電的に接続されており、導電素子２１６は、第２の接点２１４及び導電孔２１９に導電的に接続されているため、第１及び第２の接点は、第１及び第２の部分が接続された構成にある場合、導電的に接続され（導電バックルプロング及び導電孔により導電的に結合された導電素子により）、第１及び第２の部分が切断された構成にある場合、導電的に切断され得る。ゆえに、取付部材の第１及び第２の部分の構成は、第１及び第２の接点間のコンダクタンスを監視することにより判定することができる。
【００３１】
ウェアラブルデバイス２０３は、少なくとも接続状態又は切断状態のいずれかで動作することができる。ウェアラブルデバイスが、切断状態にあり、取付部材の第１及び第２の部分２０２Ａ及び２０２Ｂが切断された構成から接続された構成に遷移すると判定するとき、ウェアラブルデバイスは、センサ２１２がユーザの体の一部分を検出するかどうか判定することができる。そうである場合、ウェアラブルデバイスは、現在着用され得、接続状態に切換えてよい。そうでない場合、ウェアラブルデバイスは、切断状態に留まることができる（場合により、センサが定期的にユーザの体の一部分を検出するよう試みてもよく、ウェアラブルデバイスは、ユーザの体の一部分が検出された場合、接続状態に切換えることができる）。同様に、ウェアラブルデバイスが、接続状態にあり、第１及び第２の部分が接続された構成から切断された構成に遷移すると判定する場合、ウェアラブルデバイスは、切断状態に切換えることができる（場合により、ウェアラブルデバイスが、遷移後、動作状態を切換える前に、遷移後にセンサがユーザの体の一部分を検出しないか定期的にセンサを監視して、センサがユーザの体の一部分を検出しないと最初に判定してもよい）。
【００３２】
ウェアラブルデバイスは、接続状態で動作する間、ユーザを認証することができる。そのような認証は、１つ以上のバイオメトリック、ユーザ識別子、パスワード、個人識別番号、又は入出力コンポーネント２２０により受信される他のそのような認証機構を受信することを含んでもよい。ウェアラブルデバイスが接続状態で動作する間にユーザを認証した、そのような場合には、ウェアラブルデバイスは、切断状態に切換わる場合、ユーザはもはや認証されていないと判定することができる。
【００３３】
導電素子２１５及び２１６は、第１及び第２の部分２０２Ａ及び２０２Ｂ内部に配置された１つ以上のワイヤとして、図２Ａ及び図２Ｂに示される。しかし、これは一例であり、本開示の範囲から逸脱することなく、様々な実装形態が可能であると理解される。様々な実装形態では、導電素子は、第１及び／若しくは第２の部分内若しくは上にワイヤ若しくはトレースに形成された、第１及び／若しくは第２の部分の１つ以上の表面上にコーティングとして形成された、並びに／又は第１及び第２の部分が接続された場合、第１及び第２の接点２１３及び２１４を導電的に接続するように動作可能な他のそのような導電性材料構成の、導電性材料の任意の種類（導電性金属、導電性炭素など）であってよい。例えば、場合により、第１及び第２の部分は、導電性材料で形成されてもよく、ゆえに導電素子であってもよい。
【００３４】
更に、センサ２１２並びに第１及び第２の接点２１３及び２１４はウェアラブルデバイス２０３内に配置されるように図示されているが、これは一例であると理解される。１つ以上の実施形態では、１つ以上のそのようなコンポーネントは、取付部材内に配置されてもよい。加えて、ウェアラブルデバイスは、第１及び第２の接点間のコンダクタンス及びセンサがユーザの体の一部分を検出するかどうかを監視するように説明されているが、様々な実装形態では、取付部材が、これらの機能の１つ以上を実行して、１つ以上の有線又は無線通信接続を介してウェアラブルデバイスに伝達してもよいと理解される。いくつかの実施形態では、第１及び第２の接点の１つ以上は、ウェアラブルデバイスから電気的に絶縁されていてもよい。
【００３５】
取付部材は、バックル構成の接続機構を利用して結合可能な第１及び第２の部分２０２Ａ及び２０２Ｂを含むように、図示され前述されているが、これは一例であると理解される。様々な実装形態では、取付部材は、接続機構あり又はなしで結合可能な、任意の数の部分を含んでよい。例えば、１つ以上の実施形態では、取付部材は、取付部材を接続された構成にするための、ウェアラブルデバイス内の開口内に挿入可能な、１つ以上の挿入タブを有する１つ以上の端部を有する単一の部分を含んでもよい。そのような挿入タブは、導電性であってよく、開口内に配置された第１及び第２の接点を導電的に接続することができる。
【００３６】
更に、接続機構の導電性バックルプロング２１７及び導電孔２１９は、第１及び第２の接点２１３及び２１４を導電的に接続するのを助成するように図示され前述されているが、これは一例であると理解される。場合により、導電素子２１５及び２１６は、接続された構成で直接導電的に接続（第１の部分２０２Ａが、第１及び第２の部分が結合された場合、第２の部分２０２Ｂ上の導電性の上側面コーティングに重ね合わさる、導電性の下側面コーティングを有するなど）してもよく、１つ以上の接続機構が、第１及び第２の部分を物理的に結合してもよい。コンポーネントの他の構成は可能であり意図されている。
【００３７】
更に、接続機構は、導電性バックルプロング２１７、バックルフレーム２１８、及び導電孔２１９を含むバックル構成を形成するように図示され前述されているが、これは一例であると理解される。様々な実装形態では、磁気接続機構、スナップ接続機構、及び／又は、第１及び第２の部分２０２Ａ及び２０２Ｂを結合するために動作可能な任意の他の種類の機構などの、任意の種類の接続機構であってもよい。
【００３８】
加えて、この実施形態は、第１及び第２の接点２１３及び２１４間のコンダクタンスを監視するように、図示され前述されているが、これは一例であると理解される。様々な場合に、本開示の範囲を逸脱することなく、任意の数の異なる接点間のコンダクタンスを監視することができる。例えば、第１及び第２の接点２１３及び２１４は、デバイスが体の一部分に取付けられた場合、これらの接点間の電気皮膚コンダクタンスを測定するように、センサ２１２内に組込まれて、導電素子２１５、２１６、２１７、２１８、及び２１９が必要なくなるようにしてもよい。
【００３９】
図３Ａは、ウェアラブルデバイスが着用されているかどうかに依存して動作するウェアラブルデバイス３０３の第２の実施形態のコンポーネントの関係を示すブロック図である。図２Ａ及び図２Ｂで説明した第１の実施形態と同様に、ウェアラブルデバイス３０３は、１つ以上の処理ユニット３１０、非一時的記憶媒体３１１、センサ３１２、及び入出力コンポーネント３２０を含んでよく、取付部材は、結合可能な第１及び第２の部分３０２Ａ及び３０３Ｂ（図３Ｂでは接続された構成で結合されて、図３Ａでは切断された構成で結合されないで示される）を含んでよい。
【００４０】
しかし、図２Ａ及び図２Ｂで説明した第１の実施形態とは異なり、ウェアラブルデバイス３０３は、第１及び第２の接点を含まないでよく、取付部材の第１及び第２の部分３０２Ａ及び３０２Ｂは、導電素子を含まないでよい。この第２の実施形態では、取付部材は、第１及び第２の部分にそれぞれ配置された第１及び第２の磁気素子３２１及び３２２により形成される、接続機構を含んでよい。第１及び第２の部分が合わさると、第１及び第２の磁気素子は、互いに誘引して、図３Ｂに示す接続された構成に遷移するように、第１及び第２の部分を結合することができる。逆に、第１及び第２の部分が接続された構成にあり分離される場合、第１及び第２の磁気素子間の引力は解かれて、もはや互いに誘引せずに、図３Ａに示す切断された構成に遷移するように、第１及び第２の部分の結合を解くことができる。
【００４１】
取付部材は、また、ホール効果センサ３２３、又は、第１及び／若しくは第２の磁気素子３２１及び３２２の磁場を検出するために動作可能で処理ユニット３１０に通信可能に接続された他のセンサを含んでもよい。そのように、磁場の差を測定することにより、処理ユニットは、第１及び第２の磁気素子が互いに誘引しているかどうか、及びゆえに取付部材が接続された構成又は切断された構成にあるかどうかを判定することができ得る。
【００４２】
図３Ａ及び図３Ｂに示す第２の実施形態は、特定のコンポーネントの特定の構成を含むように図示され前述されているが、これは一例であると理解される。様々な実装形態では、本開示の範囲を逸脱することなく、任意の数の磁気素子、ホール効果センサ、又は他のセンサ（第１及び／又は第２の部分３０２Ａ及び３０２Ｂ、及び／又はウェアラブルデバイス３０３、及び／又は他のコンポーネント内に配置された）を利用してよい。
【００４３】
図４Ａは、ウェアラブルデバイスが着用されているかどうかに依存して動作するウェアラブルデバイス４０３の第３の実施形態のコンポーネントの関係を示すブロック図である。図２Ａ及び図２Ｂで説明した第１の実施形態と同様に、ウェアラブルデバイス４０３は、１つ以上の処理ユニット４１０、非一時的記憶媒体４１１、センサ４１２、及び入出力コンポーネント４２０を含んでよい。
【００４４】
しかし、図２Ａ及び図２Ｂで説明した第１の実施形態とは異なり、ウェアラブルデバイス４０３は、第１及び第２の接点を含まないでよく、取付部材４０２は、導電素子を含まないでよい。この第２の実施形態では、取付部材は、ユーザの体の一部分上に配置され得る、及び／又はユーザの体の一部分から取外され得るように、加えられた力に応答して伸ばされ（図４Ｂに示すように）、力がもう加わっていない場合、元の形状に戻る（図４Ａに示すように）ことができる、単一の部分であってよい。
【００４５】
取付部材４０２は、処理ユニット４１０と通信可能に接続され、取付部材が伸ばされていない場合、（図４Ａ）互いに相当近傍に、取付部材が伸ばされた場合、（図４Ｂ）互いにより遠くにあって、容量性素子間のキャパシタンスが変化する、第１及び第２の容量性素子４３０及び４３１を含んでよい。そのように、取付部材は、伸ばされていない場合、接続された構成又は切断された構成にあることがあり、取付部材が現在あるその構成は、取付部材がその前に伸ばされて元の形状に戻れる前に取付部材があった構成とは逆であり得る。ゆえに、取付部材の構成は、伸びて取付部材の元の形状に戻るのに対応して、キャパシタンスが減少し、その後増大する度に、遷移してもよい。
【００４６】
あるいは、場合により、取付部材４０２の構成は、キャパシタンスが減少しその後増大した後、センサ４１２がユーザの体の一部分を検出するかどうかに基づいて判定してもよい。例えば、キャパシタンスが減少しその後増大し、センサがその後ユーザの体の一部分を検出しない場合、取付部材は、切断された構成にあると判定することができる。同様に、キャパシタンスが減少しその後増大し、センサがその後ユーザの体の一部分を検出する場合、取付部材は、接続された構成にあると判定することができる。
【００４７】
図４Ａ及び図４Ｂに示す第３の実施形態は、特定のコンポーネントの特定の構成を含むように図示され前述されているが、これは一例であると理解される。様々な実装形態では、本開示の範囲を逸脱することなく、取付部材４０２及び／又はウェアラブルデバイス４０３内の様々な位置に配置された任意の数の容量性素子が利用されてもよい。
【００４８】
図５Ａは、ウェアラブルデバイスが着用されているかどうかに依存して動作するウェアラブルデバイス５０３の第４の実施形態のコンポーネントの関係を示すブロック図である。図２Ａ及び図２Ｂで説明した第１の実施形態と同様に、ウェアラブルデバイス５０３は、１つ以上の処理ユニット５１０、非一時的記憶媒体５１１、センサ５１２、及び入出力コンポーネント５２０を含んでよい。加えて、ウェアラブルデバイス又は取付部材は、近接センサ５４０を含んでよい。
【００４９】
しかし、図２Ａから図４Ｂで説明した最初の３つの実施形態とは異なり、ウェアラブルデバイス５０３は、第１及び第２の接点を含まないでよく、取付部材５０２Ａ及び５０２Ｂは、導電素子を含まないでよい。
【００５０】
第４の実施形態では、第１及び第２の接点２１３及び２１４間のコンダクタンスを測定する代わりに、図２Ａ及び図２Ｂの第１及び第２の部分２０２Ａ及び２０２Ｂを介して、又はユーザの皮膚を直接介してのいずれかで、ウェアラブルデバイス内又は第１若しくは第２の部分５０２Ａ及び５０２Ｂ内に組込まれた、接近センサを、デバイス及び取付部材の接続された構成又は切断された構成を検出するために用いることができる。近接センサが、対象への近接を検出する場合、これは、接続された構成を検出することと等しくてよく、対象への近接を検出しない場合、これは切断された構成を検出することと等しくてよい。近接センサは、コンダクタンスに基づく接続された構成又は切断された構成の検出を、近接センサのみに基づく検出に置換えるために用いることができる。
【００５１】
あるいは、場合により、取付部材５０２Ａ及び５０２Ｂの接続された構成又は切断された構成は、センサ５１２がユーザの体の一部分を検出するかどうかに基づいて判定してもよい。例えば、近接センサ５４０が対象への近接を検出し、人体センサ５１２がその後ユーザの体の一部分を検出しない場合、取付部材は、切断された構成にあると判定することができる。同様に、図５Ｂに示すように、近接センサ５４０が対象への近接を検出し、人体センサ５１２がその後ユーザの体の一部分５５０を検出する場合、取付部材は、接続された構成にあると判定することができる。
【００５２】
図５Ａ及び図５Ｂに示す第４の実施形態は、特定のコンポーネントの特定の構成を含むように図示され前述されているが、これは一例であると理解される。様々な実装形態では、近接センサに基づく検出は、コンダクタンスに基づく検出を置換えるよりも補強するために用いられてもよい。様々な実装形態では、本開示の範囲を逸脱することなく、取付部材５０２Ａ及び５０２Ｂ並びに／又はウェアラブルデバイス５０３内の様々な位置に配置された任意の数の近接センサが利用されてもよい。
【００５３】
図６は、ウェアラブルデバイスが着用されているかどうかに依存するウェアラブルデバイスの動作のための方法の例を示すフローチャートである。この方法は、図１のシステム１０１及び／又は図２Ａから図５Ｂのウェアラブルデバイス２０３から５０３により実行することができる。
【００５４】
フローはブロック６０１にて開始し、ブロック６０２に進み、ここで、ウェアラブルデバイスは切断状態で動作することができる。フローは次にブロック６０３に進み、ここで、ウェアラブルデバイスをユーザの体の一部分に取付けるように動作可能な取付部材が、切断された構成から接続された構成に遷移するかどうかを判定することができる。その場合、フローはブロック６０４に進む。そうでなければ、フローはブロック６０２に戻り、ここで、ウェアラブルデバイスは、切断状態で動作を継続できる。
【００５５】
取付部材が切断された構成から接続された構成に遷移したと判定された後、ブロック６０４で、センサがユーザの体の一部分を検出するかどうかを判定することができる。その場合、フローはブロック６０５に進む。そうでなければ、フローはブロック６０２に戻り、ここで、ウェアラブルデバイスは、切断状態で動作を継続できる。
【００５６】
センサがユーザの体の一部分を検出したと判定した後、ブロック６０５で、ウェアラブルデバイスは、接続状態に切換わることができる。フローは次にブロック６０６に進み、ここで、ウェアラブルデバイスは接続状態で動作する。接続状態でのそのような動作は、ユーザの認証を含んでもよい。フローは、次にブロック６０７に進むことができる。
【００５７】
ブロック６０７で、取付部材が接続された構成から切断された構成に遷移するかどうかを判定することができる。その場合、フローはブロック６０８に進む。そうでなければ、フローはブロック６０６に戻り、ここで、ウェアラブルデバイスは、接続状態で動作を継続する。
【００５８】
取付部材が接続された構成から切断された構成に遷移したと判定された後、ブロック６０８で、ウェアラブルデバイスは、切断状態に切換わる。接続状態での動作がユーザの認証を含む場合、切断状態に切換わることで、ユーザがもはや認証されていないと判定してもよい。フローは次にブロック６０２に戻り、ここで、ウェアラブルデバイスは切断状態で動作する。
【００５９】
方法の例６００は、特定の順序で実行される特定の動作を含むように、図示され説明されているが、これは一例であると理解される。様々な実装形態では、本開示の範囲を逸脱することなく、同じ、類似の、及び／又は異なる動作の、様々な順序及び構成を、実行することができる。
【００６０】
第１の例により、方法の例６００は、取付部材が接続された構成から切断された構成に遷移する場合、ウェアラブルデバイスを接続状態から切断状態に切換えるように、図示され説明されている。しかし、様々な実装形態では、取付部材が接続された構成から切断された構成に遷移する場合、切断状態に遷移する前に、最初に、センサがユーザの体の一部分を検出しないことを判定することができる。このようにして、ユーザが、取付部材を切断状態に切換えるが、ウェアラブルデバイスをユーザの体の一部分から取外さない場合、ウェアラブルデバイスは、切断状態に切換わらないでもよい。そのような場合、センサは、センサがもはやユーザの体の一部分を検出しなくなるまで、定期的に監視されることがある。
【００６１】
第２の例により、方法の例６００は、ウェアラブルデバイスが切断状態で動作して開始し、ウェアラブルデバイスがユーザの体の一部分に取付けられる場合、接続状態に切換わるように図示され説明されている。しかし、様々な実装形態では、方法は、ウェアラブルデバイスが接続状態で動作して開始し、ウェアラブルデバイスがユーザの体の一部分から取外される場合、切断状態に切換わってもよい。
【００６２】
第３の例により、方法の例６００は、取付部材が切断された構成から接続された構成に遷移する場合、切断状態から接続状態に切換えるように、図示され説明されている。しかし、様々な実装形態では、センサは、ウェアラブルデバイスが切断状態で動作する間、ユーザの体の一部分を検出してもよい。そのような例では、ウェアラブルデバイスは、その後、接続状態に切換わることができる。場合により、取付部材は、接続された構成と切断された構成との間を遷移しないことがある。
【００６３】
第４の例により、方法の例６００は、取付部材が接続された構成から切断された構成に遷移する場合、接続状態から切断状態に切換えるように、図示され説明されている。しかし、様々な実装形態では、センサは、ウェアラブルデバイスが接続状態で動作する間、ユーザの体の一部分をもう検出しなくてもよい。そのような例では、ウェアラブルデバイスは、その後、切断状態に切換わることができる。
【００６４】
前述及び付属の図面に示すように、本開示は、ウェアラブルデバイスが着用されているかどうかに依存するウェアラブルデバイスの動作のための、システム、装置、及び方法を説明している。ユーザの体の一部分に取付部材により取付けるウェアラブルデバイスは、少なくとも接続状態及び切断状態で動作できる。ウェアラブルデバイス及び／又は取付部材内に配置された１つ以上のセンサは、ユーザの体の一部分が存在する場合、検出することができる。そのような検出は、取付部材が接続された構成にある場合のみ実行することができ、ウェアラブルデバイスを接続状態と切断状態との間で切換えるために用いることができる。このようにして、ウェアラブルデバイスは、ユーザにより着用された場合、接続状態で、ユーザにより着用されない場合、切断状態で、動作することができる。
【００６５】
本開示では、開示された方法は、命令セット又はデバイスにより読み取り可能なソフトウェアとして実装されてよい。更に、開示された方法におけるステップの具体的な順序又は階層は、サンプルアプローチの例であることが理解される。他の実施形態では、方法におけるステップの具体的な順序又は階層は、開示の主題の範囲内にて再編成され得る。付随する方法の特許請求の範囲は、サンプル順序における様々なステップの要素を提示し、提示の具体的な順序又は階層を必ずしも限定することを意図しない。
【００６６】
説明された開示は、本開示によるプロセスを実行するように、コンピュータシステム（又は、他の電子装置）をプログラムするために使用することが可能な命令を記憶させた、非一時的機械可読媒体を含み得る、コンピュータプログラム製品若しくはソフトウェアとして提供することができる。非一時的機械可読媒体は、機械（例えば、コンピュータ）によって読み取り可能な形態（例えば、ソフトウェア、処理アプリケーション）で情報を記憶するための、任意の機構を含む。非一時的機械可読媒体は、磁気記憶媒体（例えば、フロッピーディスク、ビデオカセットなど）、光学記憶媒体（例えば、ＣＤ−ＲＯＭ）、光磁気記憶媒体、読み出し専用メモリ（ＲＯＭ）、ランダムアクセスメモリ（ＲＡＭ）、消去可能プログラマブルメモリ（例えば、ＥＰＲＯＭ及びＥＥＰＲＯＭ）、フラッシュメモリなどの形態を取り得るが、これに限定されない。
【００６７】
本開示及びその付随する利点の多くは、前述により理解されるであろうことが信じられ、コンポーネントの形態、構造、及び配列における様々な変更が、開示の主題から逸脱することなく、又はその有形の利点のすべてを損なうことなく、行われてよいことが明白となるであろう。説明された形態は単に説明的なものであり、そのような変更を包含し、含むことは、以下の特許請求の範囲の意図するところである。
【００６８】
様々な実施形態を参照して、本開示を説明してきたが、これらの実施形態は例示的なものであり、本開示の範囲は、それらに限定されるものではないことが理解されるであろう。多くの変形、修正、追加、及び改善が可能である。より全般的には、本開示による実施形態は、特定のコンテキスト又は実施形態にて説明されてきた。本開示の様々な実施形態では、機能性を、ブロック内で異なる方式で分離又は組み合わせることができ、あるいは異なる専門用語で説明することもできる。これらの変形、修正、追加、及び改善、並びに他の変形、修正、追加、及び改善は、以下の特許請求の範囲で定義されるような、本開示の範囲内に包含することができる。
【図１】
0006257786.tif 000002
【図２Ａ】
0006257786.tif 000003
【図２Ｂ】
0006257786.tif 000004
【図３Ａ】
0006257786.tif 000005
【図３Ｂ】
0006257786.tif 000006
【図４Ａ】
0006257786.tif 000007
【図４Ｂ】
0006257786.tif 000008
【図５Ａ】
0006257786.tif 000009
【図５Ｂ】
0006257786.tif 000010
【図６】
0006257786.tif 000011